(57)【要約】  容器を形成して充填する装置であって、押出しヘッド（２）から来る可塑化されたプラスチック材料の少なくとも１つのチューブが、開放された型内へ押出し可能であり、充填装置（１４）によって、少なくとも充填物質がそれぞれの容器内へ充填突起（１２）によって投入可能であり、その充填突起が少なくとも駆動中に押出しヘッド（２）を少なくとも１列の透孔（４０）に沿って貫通する、ものは、押出しヘッド（２）が直方体形状のシェル（２０、２２）を有していること、及びそれぞれの充填突起（１２）の方向づけに対して平行に見た押出しヘッド（２）の組立て高さ（Ｈ）が、透孔（４０）のそれぞれの列に沿って見た押出しヘッド（２）の長さよりも小さいことを、特徴としている。【選択図】図１
2020534184.tif 000002
【特許請求の範囲】
【請求項１】
容器を形成して充填する装置であって、押出しヘッド（２）から来る、可塑化されたプラスチック材料の少なくとも１つのチューブが、開放された型内へ押出し可能であり、充填装置（１４）によって少なくとも充填物質が充填突起（１２）によってそれぞれの容器内へ投入可能であり、前記充填突起が少なくとも駆動中に押出しヘッド（２）を少なくとも１列の透孔（４０）に沿って貫通する、ものにおいて、
押出しヘッド（２）が、直方体形状のシェル（２０、２２）を有し、かつ
それぞれの充填突起（１２）の方向づけに対して平行に見た押出しヘッド（２）の組立て高さ（Ｈ）が、透孔（４０）のそれぞれの列に沿って見た押出しヘッド（２）の長さ（Ｌ）よりも短い、
ことを特徴とする容器を形成して充填する装置。
【請求項２】
透孔（４０）のそれぞれの列に沿って見た押出しヘッド（２）の長さ（Ｌ）に対する、それぞれの充填突起（１２）の方向づけに対して平行に見た押出しヘッド（２）の高さ（Ｈ）の比が、０．５より小さく、好ましくは０．３より小さく、特に好ましくは０．２よりも小さい、ことを特徴とする請求項１に記載の装置。
【請求項３】
直方体形状のシェルが少なくとも下方と上方のシェル部分（２０、２２）からなり、そのうちの少なくとも１つのシェル部分（２２）が可塑化されたプラスチック材料用の通路ガイド（４８、５０、５２、５４）を有し、前記通路ガイドが環状室（４２）を有し、その中央に収容ウェブ（３６）が配置されており、前記収容ウェブが、それぞれの充填突起（１２）を貫通させるための透孔（４０）の形式の個々の長手収容部を有している、ことを特徴とする請求項１又は２に記載の装置。
【請求項４】
環状室（４２）に、少なくとも１つの補給通路（４８、５０）によって可塑化されたプラスチック材料を補給可能であって、前記補給通路がそのために一方の自由端部（５２、５４）によって環状室（４２）内へ、そしてその他方の自由端部によって供給通路（４４）内へ連通しており、前記供給通路がそれぞれの補給通路（４８、５０）上に垂直に配置されている、ことを特徴とする請求項１から３のいずれか１項に記載の装置。
【請求項５】
環状室（４２）に少なくとも２つの補給通路（４８、５０）によって補給可能であり、前記補給通路の自由端部（５２、５４）が環状室（４２）内へ、好ましくはその長手側において、かつ好ましくは互いに対向して連通している、ことを特徴とする請求項１から４のいずれか１項に記載の装置。
【請求項６】
供給通路（４４）が分配箇所（４６）において、補給通路（４８、５０）内へ水平に連通している、ことを特徴とする請求項１から５のいずれか１項に記載の装置。
【請求項７】
供給通路（４４）が供給装置（２８）の一部であって、前記供給装置が、上方のシェル部分（２０）のシェル（２０、２２）の幅狭側にわたって延びる終端領域上に取り付けられており、かつ上方のシェル部分（２０）を少なくとも部分的に覆っている、ことを特徴とする請求項１から６のいずれか１項に記載の装置。
【請求項８】
供給装置（２８）がその一方の自由端部（３０）によって押出し機の中央供給部に接続可能である、ことを特徴とする請求項１から７のいずれか１項に記載の装置。
【請求項９】
２つの補給ルート（４８、５０）がペンチ形状に環状室（４２）を少なくとも部分的に包囲し、かつ屈曲された終端セクション（５２、５４）によって環状室（４２）内へ連通しており、かつ
補給ルート（４８、５０）の２つの他の自由端部が共通の分配箇所（４６）内へ連通し、前記分配箇所内へ供給装置（２８）の供給通路（４４）が連通している、ことを特徴とする請求項１から８のいずれか１項に記載の装置。
【請求項１０】
環状室（４２）と補給通路（４８、５０）が同様に２つのシェル部分（２０、２２）内の切り欠きによって形成されており、前記切り欠きが、押出しヘッド（２）の長手側に対して平行にかつ前記押出しヘッドの中央に延びる、それぞれの充填突起（１２）用の収容ウェブ（３６）によって、貫通されている、ことを特徴とする請求項１から９のいずれか１項に記載の装置。
【請求項１１】
それぞれの充填突起（１２）が、あらかじめ定めることのできる径方向の間隔をもって、収容ウェブ（３６）内のそれぞれ対応づけ可能な切り欠き（４０）の内部に長手方向に走行可能に収容されている、ことを特徴とする請求項１から１０のいずれか１項に記載の装置。
【請求項１２】
それぞれの充填突起（１２）の方向付けに対して平行に見た押出しヘッド（２）の組み立て高さ（Ｈ）が、２０ｃｍより小さく、好ましくは１５ｃｍより小さく、特に好ましくは１３ｃｍより小さい、ことを特徴とする請求項１から１１のいずれか１項に記載の装置。
【請求項１３】
それぞれの充填突起（１２）の長さが、８０ｃｍより小さく、好ましくは６０ｃｍより小さく、特に好ましくは４０ｃｍより小さい、ことを特徴とする請求項１から１２のいずれか１項に記載の装置。
【請求項１４】
それぞれの充填突起（１２）が押出しヘッド（２）の内部で、特に収容ウェブ（３６）内の透孔（４０）内で、少なくとも駆動中にあらかじめ定めることのできる径方向の間隔を維持しながらガイドなしで配置されている、ことを特徴とする請求項１から１３のいずれか１項に記載の装置。
【請求項１５】
それぞれの充填突起（１２）とそれぞれの透孔（４０）の間で、少なくとも駆動中に実質的に層状のガス流が設定可能である、ことを特徴とする請求項１から１４のいずれか１項に記載の装置。
【発明の詳細な説明】
【技術分野】
【０００１】
本発明は、容器を形成して充填する装置に関するものであって、それにおいて押出しヘッドから来る可塑化されたプラスチック材料の少なくとも１つのチューブが開放された型内へ押出し可能であり、その場合に充填装置によって少なくとも充填物質が充填突起によってそれぞれの容器内へ投入可能であり、その充填突起が少なくとも駆動中に少なくとも一列の透孔に沿って押出しヘッドに嵌入する。
【背景技術】
【０００２】
この種の装置は、従来技術である。特許文献１（国際公開第２００９／１５２９７９号）は、既知の登録商標bottelpack-システムに従って作動する装置を示しており、その装置は容器の自動化された成形（ブロー成形又は真空成形）、充填及び閉鎖を経済的なやり方で可能にする。それによって特に本来の容器形成の前にポリマーチューブを形成することができ、それはきわめて均質な肉厚分布を特徴としており、それがまた、後に形成され、充填されて閉鎖される容器のきわめて均質な肉厚分布のための条件である。そのためにここでも従来技術によれば、従来技術に示すように、溶融物を案内する通路、特に垂直に、したがって充填突起に対して平行に延びる通路内のプラスチック溶融物の均質化を可能にする、押出しヘッドの高い組立て形状が、重要である。この条件に基づいて、この種類の既知の装置にとっては、製造空間内で多大な組み込み空間が必要である。上述した公報に示し、かつ特に図１から明らかなように、下方の型装置から始まる、垂直方向における高いスペース需要が生じ、その下方の型装置の上方に押出しヘッドを包囲するベースフレームが設けられており、その上に又垂直の突起ホルダが構築され、その突起ホルダにそれぞれの充填突起を有する充填装置が垂直方向に調節できるように走行可能に取り付けられている。したがって押出しヘッドの必要とされる高さから、それに応じた長さの充填突起が生じ、その充填突起は押出しヘッドの内部で正確な移動を可能にするガイドを必要とする。それがまた、医療用の充填物質を移し詰める際に、定められたように滅菌空気を充填突起の回りに吹き付けるためには、欠点となる。というのは、ガイドブッシュ又は空気軸受が、所望の層状のガス流を著しく損なうことがあり得るからである。
【先行技術文献】
【特許文献】
【０００３】
【特許文献１】国際公開第２００９／１５２９７９号
【発明の概要】
【発明が解決しようとする課題】
【０００４】
この問題性に関して、本発明の課題は、特に
・均質な肉厚分布を有するプラスチックチューブの押出し
・組み込み空間、特に空間高さの需要の減少
・邪魔されない滅菌空気ガイド
を特徴とする、この種概念の装置を提供することである。
【課題を解決するための手段】
【０００５】
本発明によれば、この課題は、その全体において請求項１の特徴を有する装置によって、解決される。
【０００６】
請求項１の特徴部分によれば、本発明の本質的な特殊性は、押出しヘッドが直方体形状のシェルを有すること、及びそれぞれの充填突起の方向づけに対して平行に見た押出しヘッドの組立て高さが、透孔のそれぞれの列に沿って見た押出しヘッドの長さよりも小さいことにある。
【０００７】
押出しヘッドをフラットなシェルとして形成することが、押出しヘッドを包囲するベースフレームの高さをそれなりに減少させることを可能にし、そのベースフレームがその上にある他の装置ユニットを構築するためのベースを形成するので、全体として装置の組立て高さ全体が本質的に減少し、それに応じて装置の組み込み空間の需要も減少する。「直方体形状」という記載は、フラットなシェルの基本構造に関するものであって、その基本構造は、純粋な直方体からの偏差をもたらすことがある、取り付け部材を有することができる。偏差は、直方体形状のベースボディにおける扁平化、面取り、斜面などからなることもある。
【０００８】
特にフラットなシェルは、２つのシェル部分から形成されており、それらが上方と下方のシェル部分として共通の分離平面に沿ってその互いに向き合う前側によって互いに添接している。その場合に好ましくは水平に延びる分離平面は、好ましくは垂直に走行可能な、それぞれの充填突起に対して垂直に延びている。さらにこれらのシェル部分は、それ自体見て、フラットな直方体形状を有している。
【０００９】
本発明に係る押出しヘッドは、周囲へ向かって閉鎖されたリング形状のチューブを押し出すために用いられ、そのチューブは無菌で形成されている。本発明によれば、層状の滅菌空気ガイド及び押出しヘッド内の充填突起のガイドなしの配置が得られる。
【００１０】
好ましい実施形態においては、直方体形状のシェルは２つのシェル部分からなり、それらのうちの少なくとも１つのシェル部分が、可塑化されたプラスチック材料用の通路ガイドを有しており、その通路ガイドが環状室を有し、その中央に収容ウェブが配置されており、その収容ウェブが、それぞれの充填突起を貫通させるための、透孔の形状の個々の長手収容部を有している。これらは、この種の装置において一般的であるように、まっすぐな列で配置されており、かつこの実施例においては、直方体形状のシェルの長手側に沿って延びており、その場合に収容ウェブ内には１２本の充填突起のための、互いに隣接する個々の透孔のつながった列が設けられている。このように構築されたシェル全体が、全体としてフラットなシェルを形成している。
【００１１】
その場合に好ましくは、通路ガイドの個別通路は、２つのシェル部分を通して形成されている。特に好ましくは、それぞれの通路横断面はしばしば、各シェル部分内の割り当ての通路ガイドによって形成されている。
【００１２】
本発明によれば、環状室には少なくとも２つの補給通路から可塑化されたプラスチック材料が補給可能であって、その場合にこれらの補給通路はそのためにその一方の自由端部によって環状室内へ、そして他方の自由端部によって供給通路内へ連通し、その供給通路は補給通路上に垂直に配置されている。
【００１３】
この配置は好ましくは、供給通路が供給装置の一部であって、その供給装置が、シェルの幅狭側にわたって延びる、上方のシェル部分の終端領域上に取り付けられており、かつ上方のシェル部分を少なくとも部分的に覆うように、形成することができる。
【００１４】
供給装置は、その屈曲された自由端部によって押出し機の中央供給部に接続可能であり、その押出し機が可塑化されたプラスチック材料を提供する。
【００１５】
好ましい実施例において、供給装置内の供給通路は充填パイプの形式で、補給通路への可塑化されたプラスチック材料の供給を行う。
【００１６】
特別な実施形態において、この配置は、補給通路が好ましくはペンチ形状に環状室を少なくとも部分的に包囲し、かつ屈曲された終端セクションによって環状室内へ連通するように、形成することができ、その場合に補強装置の２つの他方の端部は共通の補給箇所内へ連通し、その補給箇所内へ供給装置の供給通路が垂直に連通する。しかし好ましくは、供給装置は、供給通路が補給通路内へ水平に連通するように形成することもでき、それはプラスチックの流れルートの著しい短縮をもたらす。
【００１７】
好ましくは環状室と補給通路は、同様に２つのシェル部分内の切り欠きによって形成することができ、それらの切り欠きは、中央かつ押出しヘッドの長手側に対して平行に延びる、それぞれの充填突起用の透孔を有する収容ウェブによって貫通されている。
【００１８】
好ましい実施例において、それぞれの充填突起はそれぞれ対応づけ可能な切り欠きの内部で径方向の間隔をもって収容ウェブ内に長手方向に走行可能に収容されている。押出しヘッドのフラットな構造のおかげで、通常の構造の押出しヘッドにおいては必要とされるような、押出しヘッド内の充填突起のガイド及びそれに伴って滅菌空気を損なう、突起ガイドブッシュ、突起ガイド軸受などの組み込みを、省くことができる。
【００１９】
押出しヘッドはその下側にチューブ放出開口部を有することができ、その自由な横断面は調節可能であり、かつそのチューブ放出開口部は容器形成のためのそれぞれの型へ押し出されたチューブを放出するために用いられる。
【００２０】
「垂直」及び「水平」という記載は、この方向推移からわずかにずれる形態も含んでいる。
【００２１】
以下、図面に示す実施例を用いて本発明を詳細に説明する。
【図面の簡単な説明】
【００２２】
【図１】図１は、本発明に係る装置の実施例を破断して示す垂直の部分断面図であって、その場合に押出しヘッドに隣接する装置領域のみを示しており、かつ見ることのできる唯一の充填突起は、前へ移動された充填位置で示されている。
【図２】図２は、実施例の押出しヘッドを取り出して、図１に比較して拡大して示す斜視図である。
【図３】図３は、押出しヘッドを部分的に垂直断面で、かつ大部分は水平断面で示す斜視図である。
【図４】図４は、押出しヘッドの特別な実施形態を水平断面で示す斜視図である。
【発明を実施するための形態】
【００２３】
図１は、本発明に係る装置の実施例のうちの押出しヘッド２に隣接する装置領域のみを示している。押出しヘッド２は、ベースフレーム４に支承されており、そのベースフレームが垂直の支持体６と水平の支持体８と共に装置架台を形成しており、その装置架台が押出しヘッド２を包囲している。ベースフレーム４の上方の水平の支持体８上に、突起ホルダ１０の名称の他の装置ユニットが構築されており、その突起ホルダは、この種の装置において一般的であるように、柱形状の構造で垂直に延びている（従来技術について挙げられた公報の図１を参照）、かつその突起ホルダに接して、該当する充填突起１２が付属の充填装置１４と共に垂直方向に調節可能に走行することができる。図１は、充填突起１２を前へ移動された充填位置で示しており、その充填位置において充填突起は、図示されない開放された型装置内へ延びている。充填装置１４は、中央の充填導管１６から充填物質を受けとり、かつ各充填室１２のために制御可能な配量ユニット１８を有している。独国特許出願公開第１０２００８０２８７７２（Ａ１）号明細書に記述されるように、配量ユニット１８は各充填プロセスのために必要とされる充填物質の配量の量をクロック制御して、それぞれの充填突起１２の内側の充填通路（図示せず）へ放出する。
【００２４】
図２が示すように、押出しヘッド２はフラットなシェルの形状を有し、そのシェルの主要部分が矩形の直方体を形成している。図１の表示において、切断平面は直方体の幅狭側に沿って延びている。シェル形状の押出しヘッド２は、２つのシェル部分からなり、そのうちの上方のシェル部分が符号２０で、下方のシェル部分が符号２２で示されている。２つのシェル部分２０、２２は、平坦な添接面２４において互いに添接し、かつボルト（図示せず）によって互いに結合されている。押出しヘッド２上に、全部で１２の加熱プレート２６（すべては見えず、符号がつけられていない）が螺合されている。加熱プレート２６の接続は、その加熱プレート接続部材２７（すべてには符号はついていない）を介して行われる。図２と図３において右側に位置する幅狭側で、上方のシェル部分２０の終端領域上に他の加熱プレート２６を装着した供給装置２８が取り付けられており、その供給装置が中央に配置されて、この幅狭側のほぼ半分を覆っている。供給装置２８は屈曲された上方の端部３０によって、（図示されない）押出し機に接続可能であって、その押出し機から可塑化されたプラスチック材料が押出しヘッド２へ供給可能であり、それによってチューブ放出開口部３２から供給された可塑的なプラスチック材料の押出しによって、容器形成のためのチューブが形成され、そのチューブ放出開口部のうち、図１には、唯一見える充填突起１２に対応づけられた１つのみが見える。
【００２５】
図１からもっともよくわかるように、上方のシェル部分２０は、中央かつ長手側に対して平行に延びる収容ウェブ３６を有しており、その収容ウェブは、充填突起１２用の入口を形成する、上方のシェル部分２０の上側にある長穴３８から始まって、他のシェル部分２２を貫通して延びており、かつその中で自由に移動可能な充填突起１２のための内部の透孔４０を有している。その透孔４０内へ、滅菌空気が供給部３５から始まって保持ストリップ５６の下方において滅菌空気通路３３内で充填突起１２に沿って流入し、かつ滅菌空気出口３７において押出しヘッド２から流出するが、層状の流れの中で充填突起１２をさらに包囲し、そのようにして汚染から保護する。収容ウェブ３６は環状室４２を貫通し、その環状室が可塑化されたプラスチック材料のための通路ガイドの一部を形成し、かつ下方のシェル部分２２の下方において放出開口部３２と接続されている。図１が示すように、環状室４２及び環状室４２内に連通する、通路ガイドの補給ルートも同様に、上方のシェル部分２０と下方のシェル部分２２の添接面２４内の同じ切り欠きによって共通に形成されている。
【００２６】
図３は、通路ガイドの詳細を示している。加熱プレート２６によって加熱可能な供給装置２８は、補給ルートの入口部分として、中央かつ上方のシェル部分２０に対して実質的に垂直に延びる供給通路４４の形式の通路を有しており、それが分配箇所４６へ通じており、その分配箇所は上方のシェル部分２０と下方にシェル部分２２の間に形成されており、かつ環状室４２内へ通じる補給ルートの入口を形成している。これらの補給ルートは２つの補給通路４８と５０によって形成されており、それらは分配箇所４６から始まって環状室４２の半分の長さをペンチ形状に包囲し、かつ湾曲した終端セクション５２もしくは５４によって環状室４２内へ連通している。
【００２７】
驚くべきことに、本発明によれば特別なやり方で、本発明に基づいて高さ（Ｈ）対長さ（Ｌ）の比率が小さいにもかかわらず、チューブ放出開口部３２におけるポリマー溶融物の均一な速度分布及びそれに伴ってポリマーチューブのきわめて均一な肉厚分布が得られ、その高さ対長さの比率は、垂直に延びる短い均質化区間（環状室４２とチューブ放出開口部３２の間）のみを提供し、それは押出しヘッド２の高さＨの約６５％に過ぎない。
【００２８】
押出しヘッド２の高さＨの約３から４倍に相当する長さを有する、短く形成された充填突起１２は、その上方の端部において保持ストリップ５６に取り付けられている。この保持ストリップは、クロック駆動される往復運動のために保持装置５８に固定されており、その保持装置が押出しヘッド２の上方のシェル２０の上方に取り付けられている。押出しヘッド２自体の高さＨが小さく、かつ充填突起１２の組立て長さが短いことに基づいて、ブッシュ、軸受などのような案内するコンポーネントを、押出しヘッド２の内部に、そして特に収容ウェブ３６内の透孔４０の内部に配置することを省くことができる。これが、円筒状のつながった滅菌空気通路３３内の妨げられない滅菌空気の流れを可能にし、その滅菌空気通路内に層状の流れを形成することができ、それが充填突起１２に沿って連続する。
【００２９】
図４は、他の好ましい実施例を示しており、それにおいて供給通路４４は図３に比べて短く形成されており、かつ分配箇所４６において垂直ではなく、ほぼ水平に補給通路４８と５０内へ連通している。驚くべきことに、図３の実施形態に比較してさらに減少された、溶融物の垂直の流れルート長さが、上述した肉厚均質性を悪化させることはない。さらに、この実施形態は効果的である。というのは、溶融物分配ルート全体の長さが著しく短縮されており、かつ水平の連通が流れ抵抗の減少とそれに伴ってエネルギ需要の減少をもたらすからである。
【００３０】
チューブヘッド２及び／又は供給装置２８の加熱は、上述した電気的な加熱の代わりに、他の方法、たとえば誘導的な熱投入によって行うこともできる。
【図１】
2020534184.tif 000003
【図２】
2020534184.tif 000004
【図３】
2020534184.tif 000005
【図４】
2020534184.tif 000006
【国際調査報告】
2020534184.tif 000007
2020534184.tif 000008
2020534184.tif 000009
2020534184.tif 000010